(57)【要約】  【課題】急速製氷設定中に冷蔵庫運転条件によっては、製氷時間が遅くなるという課題を解決し、急速製氷運転を円滑に実行することができる冷蔵庫を提供する。  【解決手段】自動製氷装置１０１と急速製氷運転の開始、終了を設定する急速製氷設定手段１を備えた冷蔵庫において、急速製氷設定中除霜開始時間になった時は離氷するまで除霜開始を待機させ、冷却運転を続行することにより、除霜運転による冷凍室庫内温度上昇により製氷完了時間が遅れるのを防ぐことができるものである。【選択図】図１
2007017071.tif 000002
【特許請求の範囲】
【請求項１】
自動製氷装置と急速製氷運転の開始、終了を設定する急速製氷設定手段を備えた冷蔵庫において、急速製氷設定中除霜開始時間になった時は離氷するまで除霜開始を待機させる冷蔵庫の制御装置。
【請求項２】
給水状態を判定する給水判定手段と表示手段を備え、急速製氷設定中給水されていない場合に表示する請求項１に記載の冷蔵庫の制御装置。
【請求項３】
貯氷量状態を判定する貯氷量判定手段を備え、急速製氷設定中貯氷箱の氷が規定量以上である場合に表示する請求項１または２に記載の冷蔵庫の制御装置。
【請求項４】
製氷完了を判定する製氷完了判定手段を備え、急速製氷設定中は通常製氷とは製氷完了条件を変更する請求項１から３のいずれか一項に記載の冷蔵庫の制御装置。
【請求項５】
急速製氷設定手段により設定される急速製氷設定を記憶する急速製氷設定記憶手段を備え、急速製氷設定中に停電により冷蔵庫の電源が停止しても、停電復帰後、急速製氷設定記憶手段に記憶された設定で急速製氷設定を継続する請求項１から４のいずれか一項に記載の冷蔵庫の制御装置。
【発明の詳細な説明】
【技術分野】
【０００１】
本発明は、自動製氷装置を備えた冷蔵庫に関し、自動製氷装置における製氷時間の短縮を図った冷蔵庫に関するものである。
【背景技術】
【０００２】
従来、この種の冷蔵庫の制御装置としては、急速製氷設定により自動製氷を制御するもの（例えば、特許文献１参照）がある。
【０００３】
以下、図面を参照しながら上記従来の冷蔵庫の制御装置を説明する。
【０００４】
図３は、従来の冷蔵庫のブロック図を示している。冷蔵室１０１内に給水ポンプ１０２を備え、冷凍室１０３内に自動製氷装置１０４を備え、自動製氷装置１０４には貯氷箱１０５の貯氷量を検出する検氷レバー１０６を備え、制御装置１０７は急速製氷スイッチ１０８をＯＮすることにより、急速製氷設定中は、電動圧縮機１０９、及び庫内冷気循環用ファンモータ１１０の回転数を通常よりも速くし、冷却能力向上により製氷時間の短縮を図るというものであった。
【特許文献１】特開２０００−２４７６号公報
【発明の開示】
【発明が解決しようとする課題】
【０００５】
しかしながら、上記従来の構成では、製氷中に除霜開始されたり、貯氷量が満氷、給水されていない等、冷蔵庫運転条件によっては、急速製氷設定していても製氷時間が遅くなるという課題を有していた。また、急速製氷設定中でも停電等により冷蔵庫の電源が停止した場合に停電復帰後、急速製氷設定解除されてしまうという課題を有していた。
【０００６】
本発明は従来の課題を解決するもので、急速製氷運転を円滑に実行することができる冷蔵庫を提供することを目的とする。
【課題を解決するための手段】
【０００７】
上記従来の課題を解決するために、本発明の請求項１に記載の発明は、自動製氷装置と急速製氷運転の開始、終了を設定する急速製氷設定手段を備えた冷蔵庫において、急速製氷設定中除霜開始時間になった時は離氷するまで除霜開始を待機させるように構成したものである。
【発明の効果】
【０００８】
本発明の冷蔵庫の制御装置は、急速製氷設定中除霜開始時間になった時は離氷するまで除霜開始を待機させることができる。
【発明を実施するための最良の形態】
【０００９】
請求項１に記載の発明は、自動製氷装置と急速製氷運転の開始、終了を設定する急速製氷設定手段を備えた冷蔵庫において、急速製氷設定中除霜開始時間になった時は離氷するまで除霜開始を待機させるものであり、製氷中の除霜運転による冷凍室庫内温度上昇により製氷完了時間が遅れるのを防止することができる。
【００１０】
請求項２に記載の発明は、請求項１に記載の発明において、給水状態を判定する給水判定手段と表示手段を備え、急速製氷設定中給水されていない場合に表示するものであり、使用者に製氷できないことを知らせることができる。
【００１１】
請求項３に記載の発明は、請求項１または２に記載の発明において、貯氷量状態を判定する貯氷量判定手段を備え、急速製氷設定中貯氷箱の氷が規定量以上である場合に表示するものであり、貯氷箱の氷を取り除かなければ新たに製氷できないことを使用者に知らせることができる。
【００１２】
請求項４に記載の発明は、請求項１から３のいずれか一項に記載の発明において、製氷完了を判定する製氷完了判定手段を備え、急速製氷設定中は通常製氷とは製氷完了条件を変更するものであり、製氷時間を短縮することができる。
【００１３】
請求項５に記載の発明は、請求項１から４のいずれか一項に記載の発明において、急速製氷設定手段により設定される急速製氷設定を記憶する急速製氷設定記憶手段を備え、急速製氷設定中に停電により冷蔵庫の電源が停止しても、停電復帰後、急速製氷設定記憶手段に記憶された設定で急速製氷設定を継続するものであり、使用者の意図しない急速製氷設定の解除を防止することができる。
【００１４】
以下本発明の実施の形態について、図面を参照しながら説明する。なお、従来と同一構成については同一符号を付して詳細な説明を省略する。
【００１５】
（実施の形態１）
図１は、本発明の実施の形態１における冷蔵庫の制御装置のブロック図であり、図２は動作を示すフローチャートであり、以下図１、図２を参照しながら説明する。
【００１６】
図１において、急速製氷設定手段１は、操作パネル２に設置され、急速製氷設定の開始、終了を設定できるスイッチである。製氷制御手段３は自動製氷装置１０１に離氷動作させ、その後給水ポンプ１０６を動作させるものである。製氷完了判定手段４は製氷時間になると製氷センサ５の温度により製氷が完了したかを判断するものである。貯氷量判定手段６は検氷レバー１０６により貯氷箱１０５の貯氷量を判定するものである。給水判定手段７は給水動作後製氷センサ５の温度により給水状態を判定するものである。除霜ヒータ制御手段８は蒸発器９の除霜を行う除霜ヒータ１０を制御するものである。庫内ファン駆動手段１１は庫内ファン１２を駆動するものである。圧縮機駆動手段１３は圧縮機１４を駆動するものである。表示手段１５は、急速製氷設定手段１により設定される急速製氷設定状態や給水判定手段７による給水状態、貯氷量判定手段６による貯氷量状態を操作パネル２内の表示装置１６に表示するものである。
【００１７】
急速製氷設定記憶手段１７は、急速製氷設定手段１により設定される急速製氷設定状態を記憶する不揮発性メモリである。
【００１８】
以上のように構成された冷蔵庫の制御装置において、図２を参照しながら動作説明を行う。まず、ステップ１００で急速製氷設定手段１により設定された急速製氷設定が急速製氷設定中かどうかを製氷制御手段３で判定し、急速製氷設定中の場合、表示手段１５により操作パネル２内の表示装置１６で急速製氷設定であることを表示し、ステップ１０１で圧縮機駆動手段１３で圧縮機１４を一定時間高速回転させる。次にステップ１０２で庫内ファン駆動手段１１で庫内ファン１２を一定時間高速回転させる。ステップ１００で、急速製氷設定以外の時、ステップ１０３で通常製氷運転の処理を行う。次に急速製氷設定中の場合は、ステップ１０４で蒸発器９の除霜を開始する時間であるかを除霜ヒータ制御手段８で判定する。除霜開始時間である場合はステップ１０５で除霜開始待機設定を行う。次にステップ１０６で製氷完了判定手段４により製氷が完了したかを設定された製氷１回当たりの時間が経過したかどうかと、製氷センサ５による温度が設定された温度以下になっているかどうかにより判定し、製氷が完了していればステップ１０７に進む。ステップ１０７では貯氷箱１０５の氷の量を検氷レバー１０６で検出し、その量が規定量以下である時ステップ１０８に進み離氷動作を行う。次に離氷動作終了後ステップ１０９に進み、給水動作を行う。次にステップ１１０に進み、離氷動作終了したので除霜開始を待機させていたのを解除する。
【００１９】
以上のように、急速製氷設定中、除霜開始時間になっても除霜開始を離氷動作が終了するまで待機し冷却運転を続行することにより、製氷中の除霜運転による冷凍室庫内温度上昇により製氷完了時間が遅れるのを防ぐことができる。
【００２０】
また、ステップ１０９で給水動作を行い、ステップ２００に進み、給水判定手段７で製氷センサ５の温度が所定の温度以上かどうかにより給水状態を判定する。給水状態が不足している時はステップ２０１に進み、給水不足表示設定を行い、表示手段１５で表示装置１６に急速製氷設定中、給水不足であることを表示する。
【００２１】
以上のように、使用者が短時間で製氷させたいために急速製氷設定を行っているにもかかわらず、給水状態が不足しており製氷ができない場合に表示し使用者に知らせることができる。
【００２２】
また、ステップ１０７で貯氷箱１０５の氷の量を検氷レバー１０６で検出し、その量が規定量以上の時ステップ３００に進み、満氷表示設定を行い、表示手段１５で表示装置１６に急速製氷設定中、満氷状態であることを表示する。
【００２３】
以上のように、使用者が短時間で新たに製氷させたいために急速製氷設定を行っているにもかかわらず、貯氷量が規定量以上であり新たに製氷ができない場合に表示し使用者に知らせることができる。
【００２４】
また、急速製氷設定中は圧縮機１４と庫内ファン１２を一定時間高速回転させて冷却能力を上げ急速に庫内を冷却させているので製氷完了の判定温度に通常時より短時間で到達するためステップ１０６で製氷完了判定手段４により製氷が完了したかを判定する時、設定された製氷１回当たりの時間を通常製氷設定より短い時間で判定し製氷センサ５の温度を判定する。
【００２５】
以上のように、急速製氷設定中は通常製氷より設定された製氷１回当たりの時間を短い時間で判定するため、製氷時間を短縮することができる。
【００２６】
また、ステップ１００で急速製氷設定が、急速製氷設定中かどうかを判定し、急速製氷設定中の場合、ステップ５００で急速製氷設定状態を、急速製氷設定記憶手段１７に記憶する。
【００２７】
以上のように、急速製氷設定手段により設定された急速製氷設定を記憶手段により不揮発性メモリに記憶することにより、急速製氷設定中、停電等により冷蔵庫の電源がＯＦＦしても電源をＯＦＦされる前の急速製氷設定を記憶しているので、停電復帰後、急速製氷設定記憶手段に記憶された設定で急速製氷設定を継続するので使用者の意図しない急速製氷設定の解除を防止することができる。
【産業上の利用可能性】
【００２８】
以上のように本発明にかかる冷蔵庫の制御装置は、急速製氷運転を円滑に実行することができるので自動製氷装置を用いる機器全般に適用できる。
【図面の簡単な説明】
【００２９】
【図１】本発明による実施の形態１における冷蔵庫の制御装置のブロック図
【図２】本発明による実施の形態１における冷蔵庫の制御装置のフローチャート
【図３】従来の冷蔵庫のブロック図
【符号の説明】
【００３０】
１    急速製氷設定手段
４    製氷完了判定手段
６    貯氷量判定手段
７    給水判定手段
１５  表示手段
１７  急速製氷設定記憶手段
１０１  自動製氷装置
【図１】
2007017071.tif 000003
【図２】
2007017071.tif 000004
【図３】
2007017071.tif 000005